(57)【特許請求の範囲】
【請求項１】
上面と下面とを共に連結面として構成されたコネクタハウジングを複数有し、この各コネクタハウジングには端子収容室を設け、この端子収容室に挿入される端子と前記コネクタハウジングとのいずれか一方に可撓性ランスを、他方にこの可撓性ランスが係止される係止部を設け、前記端子の前記端子収容室への挿入過程で前記可撓性ランスが前記係止部に弾性変形によって係止されることによって前記端子が前記端子収容室内で係止され、双方のコネクタハウジングの連結面同士を互いに近接させる方向に移動することによってコネクタハウジングが多段状に連結される圧接ジョイントコネクタであって、
前記コネクタハウジングの上面側と下面側とのいずれか一方に前記端子収容室に貫通する貫通孔を設け、他方に相手側のコネクタハウジングの前記貫通孔に挿入し、前記端子を反挿入方向に押圧するガタ詰め部を設けたことを特徴とする圧接ジョイントコネクタ。
【請求項２】
請求項１記載の圧接ジョイントコネクタであって、
前記ガタ詰め部と前記端子との互いに接触する面は、ほぼ同一傾斜のテーパ面として設けられたことを特徴とする圧接ジョイントコネクタ。
【請求項３】
請求項１又は請求項２記載の圧接ジョイントコネクタであって、
前記端子は、一方の連結面側に突出するタブ部と当該連結面とは反対の連結面側から挿入するタブ部が接触されるタブ接触部とを有し、双方のコネクタハウジングの連結位置では上下で相対向する端子同士の前記タブ部と前記タブ接触部とが接触されることを特徴とする圧接ジョイントコネクタ。
【請求項４】
請求項１〜請求項３記載の圧接ジョイントコネクタであって、
前記端子に前記可撓性ランスを、前記コネクタハウジングに前記係止部をそれぞれ設けたことを特徴とする圧接ジョイントコネクタ。
【請求項５】
請求項１〜請求項４記載の圧接ジョイントコネクタであって、
前記コネクタハウジングの下面側に貫通孔を、前記コネクタハウジングの上面側にガタ詰め部をそれぞれ設けたことを特徴とする圧接ジョイントコネクタ。
【発明の詳細な説明】
【０００１】
【発明の属する技術分野】
本発明は、コネクタハウジング内に収容される端子が可撓性ランスによって係止される圧接ジョイントコネクタに関する。
【０００２】
【従来の技術】
図８は従来のコネクタの断面図、図９はその要部拡大斜視図である。図８及び図９において、コネクタハウジング５０内には端子収容室５１が設けられ、端子収容室５１に端子５２が収容されている。この端子５２の下面部には係止部である係止孔５３が設けられ、この係止孔５３に可撓性ランス５４の突起部５４ａが係止されている。この可撓性ランス５４は端子収容室５１の下面に臨むようにしてコネクタハウジング５０に一体に設けられ、可撓性ランス５４の下方にはランス逃げスペース５５が設けられいる。尚、５６は、端子５２に接続された電線である。
【０００３】
次に、コネクタハウジング５０への端子装着作業を説明する。コネクタハウジング５０の後面から端子５２を端子収容室５１に挿入する。すると、端子５２の装着位置の手前位置で端子５２の先端が可撓性ランス５４に当接する。この状態より更に端子５２を挿入すると、端子５２が可撓性ランス５４を押圧して可撓性ランス５４が弾性変形によってランス逃げスペース５５に退出し、端子５２の挿入が許容される。端子５２が装着位置まで挿入されると、可撓性ランス５４が弾性復帰変形して可撓性ランス５４の突起部５４ａが端子５２の係止孔５３に係止される。
【０００４】
つまり、端子収容室５１内における端子５２の係止は、コネクタハウジング５０の可撓性ランス５４の突起部５４ａが端子５２の係止孔５３に係止されることによってなされている。
【０００５】
【発明が解決しようとする課題】
しかしながら、可撓性ランス５４の突起部５４ａと端子５２の係止孔５３との寸法関係は、端子挿入方向に対して部品寸法公差等のために余裕を持って構成せざるを得ない。詳しくは、図９に示すように、端子５２の係止孔５３の寸法Ｄ１より可撓性ランス５４の突起部５４ａの寸法Ｄ２が小さく設定される。従って、端子５２には挿入方向及びこの反対の引出し方向にガタが発生するため、接点が移動することによって接触抵抗が増加する等の悪影響が発生する。
【０００６】
そこで、本発明は、前記した課題を解決すべくなされたものであり、端子のガタ付きを防止して、これに起因する種々の問題を解消した圧接ジョイントコネクタを提供することを目的とする。
【０００７】
【課題を解決するための手段】
請求項１の発明は、上面と下面とを共に連結面として構成されたコネクタハウジングを複数有し、この各コネクタハウジングには端子収容室を設け、この端子収容室に挿入される端子と前記コネクタハウジングとのいずれか一方に可撓性ランスを、他方にこの可撓性ランスが係止される係止部を設け、前記端子の前記端子収容室への挿入過程で前記可撓性ランスが前記係止部に弾性変形によって係止されることによって前記端子が前記端子収容室内で係止され、双方のコネクタハウジングの連結面同士を互いに近接させる方向に移動することによってコネクタハウジングが多段状に連結される圧接ジョイントコネクタであって、前記コネクタハウジングの上面側と下面側とのいずれか一方に前記端子収容室に貫通する貫通孔を設け、他方に相手側のコネクタハウジングの前記貫通孔に挿入し、前記端子を反挿入方向に押圧するガタ詰め部を設けたことを特徴とする。
【０００８】
この圧接ジョイントコネクタでは、端子がガタ詰め部に押圧されることによって可撓性ランスと係止部とが圧接され、可撓性ランスと係止部との間の相対的移動が規制される。
【０００９】
請求項２の発明は、請求項１記載の圧接ジョイントコネクタであって、前記ガタ詰め部と前記端子との互いに接触する面は、ほぼ同一傾斜のテーパ面として設けられたことを特徴とする。
【００１０】
この圧接ジョイントコネクタでは、請求項１の発明の作用に加え、ガタ詰め部が端子を押圧する際に、互いのテーパ面を介して連続的に徐々に押圧力が付与される。
【００１１】
請求項３の発明は、請求項１又は請求項２記載の圧接ジョイントコネクタであって、前記端子は、一方の連結面側に突出するタブ部と当該連結面とは反対の連結面側から挿入するタブ部が接触されるタブ接触部とを有し、双方のコネクタハウジングの連結位置では上下で相対向する端子同士の前記タブ部と前記タブ接触部とが接触されることを特徴とする。
【００１２】
この圧接ジョイントコネクタでは、請求項１又は請求項２の発明の作用に加え、端子がコネクタハウジングに対してガタ付かないことからタブ部及びタブ接触部も移動しない。
【００１３】
請求項４の発明は、請求項１〜請求項３記載の圧接ジョイントコネクタであって、前記端子に前記可撓性ランスを、前記コネクタハウジングに前記係止部をそれぞれ設けたことを特徴とする。
【００１４】
この圧接ジョイントコネクタでは、請求項１〜請求項３の発明と同様の作用を有する。
【００１５】
請求項５の発明は、請求項１〜請求項４記載の圧接ジョイントコネクタであって、前記コネクタハウジングの下面側に貫通孔を、前記コネクタハウジングの上面側にガタ詰め部をそれぞれ設けたことを特徴とする。
【００１６】
この圧接ジョイントコネクタでは、請求項１〜請求項４の発明と同様の作用を有する。
【００１７】
【発明の実施の形態】
以下、本発明の一実施形態を図面に基づいて説明する。
【００１８】
図１〜図７は本発明の一実施形態を示し、図１はコネクタハウジングの断面図、図２は端子の斜視図、図３は図２のＡ−Ａ線断面図、図４は端子を収容したコネクタハウジングの断面図、図５は双方のコネクタハウジングの連結した状態の断面図、図６は図５のＢ−Ｂ線断面図、図７はガタ詰め部が端子を押圧する状態を示す概略図である。
【００１９】
図１及び図４に示すように、コネクタハウジング１は、その上面と下面とが共に連結面１ａ、１ｂとして構成され、上方の連結面１ａにはハウジングロック突起２が、これに対応する下方の連結面１ｂにはハウジングロック溝３がそれぞれ設けられている。コネクタハウジング１にはキャビティ壁４によって仕切られた複数の端子収容室５が設けられ、この各端子収容室５には端子６が挿入によって収容される。端子収容室５には係止部７が設けられ、この係止部７はコネクタハウジング１に一体的に設けられている。
【００２０】
又、コネクタハウジング１の下面部にはタブ挿入孔８及び貫通孔９がそれぞれ設けられており、このタブ挿入孔８及び貫通孔９は共に端子収容室５に開口されている。更に、コネクタハウジング１にはハウジングロック突起２に付設されたガタ詰め部１０が設けられており、このガタ詰め部１０はコネクタハウジング１の連結時に貫通孔９内に挿入される。ガタ詰め部１０の面は、上方より下方に向かうに従って端子収容室５の後方側に向かうテーパ面１０ａとして構成されている。
【００２１】
図２〜図４に示すように、前記端子６は、電線（図示せず）が圧接される電線圧接部６ａと、係止部７に係止可能でバネ性を有する可撓性ランス６ｂと、上方の連結面１ａ側に突出するタブ部６ｃと、下方の連結面１ｂから挿入されるタブ部６ｃが接触され、バネ性を有する一対のタブ接触部６ｄとを有する。又、端子６の挿入先端面６ｅの下部は、上方から下方に向かうに従って徐々に挿入後端側に傾斜するテーパ面６ｆとして構成されている。
【００２２】
次に、上記コネクタハウジング１への端子装着作業、及び、コネクタハウジング１間の連結作業について説明する。コネクタハウジング１の各端子収容室５の後面から端子６を図４に示す装着位置まで挿入する。各端子６の装着位置の手前位置では突出している可撓性ランス６ｂがバネ性によって退出して端子６の挿入が許容される。端子６が装着位置まで挿入されると、図６に示すように、端子６の可撓性ランス６ｂがバネ復帰性によって突出位置に復帰してコネクタハウジング１の係止部７に係止される。このようにして連結すべきコネクタハウジング１について端子６の装着作業を行う。
【００２３】
尚、この状態では、端子６の引抜き方向の移動が可撓性ランス６ｂと係止部７とによって阻止されているのみであり、端子６は端子収容室５内でガタ付きを有している。
【００２４】
次に、連結する双方のコネクタハウジング１について各端子６の電線圧接部６ａに電線（図示せず）を圧接する等の処理を施す。
【００２５】
次に、連結する双方のコネクタハウジング１の連結面１ａ、１ｂ同士を互いに近接させる方向に移動し、ハウジングロック突起２とハウジングロック溝３との位置合わせを行う。双方の位置合わせがなされると、さらに双方のコネクタハウジング１の連結面１ａ、１ｂ同士を互いに近接させる方向に移動し、連結面１ａ、１ｂ同士が当接されると、ハウジングロックがなされて図５に示す如く連結が完了する。
【００２６】
又、双方のコネクタハウジング１の連結位置への移動に伴って下方のコネクタハウジング１の各端子６のタブ部６ｃが上方のコネクタハウジング１のタブ挿入孔８内に進入し、図５に示す連結位置では下方のコネクタハウジング１の各端子６のタブ部６ｃが上方のコネクタハウジング１の各端子６のタブ接触部６ｄに接触される。尚、上下の端子６同士を電気的に接続させたくない場合には、予めタブ部６ｃを折曲する折曲処理を施しておく。
【００２７】
又、上記コネクタハウジング１の連結作業過程にあって、双方のコネクタハウジング１の連結位置への移動に伴って下方のコネクタハウジング１のガタ詰め部１０が上方のコネクタハウジング１の貫通孔９内に進入し、更に端子収容室５に進入する。この端子収容室５に進入したガタ詰め部１０のテーパ面１０ａが、図７の仮想線で示すように、端子６の先端面６ｅのテーパ面６ｆを押圧し、図７の実線で示すように、この押圧力によって端子６が端子引出し方向に移動される。この移動によって、図６に示すように、端子６はその可撓性ランス６ｂが係止部７に圧接される位置に強制的に位置決めされ、可撓性ランス６ｂと係止部７との間の相対的移動が規制される。以上より、端子６のガタ付きが防止され、これに起因する種々の問題、例えば接点が移動することによって接触抵抗が増加する等の問題が解消される。
【００２８】
この実施形態では、ガタ詰め部１０と端子６との互いに接触する面が、ほぼ同一傾斜のテーパ面１０ａ、６ｆとして構成されているので、ガタ詰め部１０が端子６を押圧する際に、図７に示すように、互いのテーパ面１０ａ、６ｆを介して連続的に徐々に押圧力が付与されるため、端子６をスムーズに移動させることができる。
【００２９】
又、タブ部６ｃとタブ接触部６ｄとを有する端子６にあっては、端子６がコネクタハウジング１に対してガタ付く場合にはタブ部６ｃのバネ性が劣化したり、タブ部６ｃとタブ接触部６ｄとの接触不良が生じたりするが、本発明では端子６がコネクタハウジング１に対してガタ付かないことからタブ部６ｃ及びタブ接触部６ｄも移動しないため、上述のような不具合が防止される。
【００３０】
尚、上記したコネクタハウジング１の連結作業を所望の数のコネクタハウジング１について順次行うことによってコネクタハウジング１が多段状に連結される。そして、端子６が収容される最下段のコネクタハウジング１については、この下に端子６を収容しないコネクタハウジング１を下カバーとして連結すれば、上記最下段のコネクタハウジング１の端子６のガタ付きを防止できる。
【００３１】
尚、前記実施形態によれば、端子６に可撓性ランス６ｂを、コネクタハウジング１に係止部７をそれぞれ設けたが、この逆に端子６に係止部７を、コネクタハウジング１に可撓性ランス６ｂをそれぞれ設けても良い。
【００３２】
尚、前記実施形態によれば、コネクタハウジング１の下面側に貫通孔９を、コネクタハウジング１の上面側にガタ詰め部１０をそれぞれ設けたが、この逆にコネクタハウジング１の下面側にガタ詰め部１０を、コネクタハウジング１の上面側に貫通孔９をそれぞれ設けても良い。
【００３３】
【発明の効果】
以上説明したように、請求項１の発明によれば、コネクタハウジングには端子収容室を設け、この端子収容室に挿入される端子と前記コネクタハウジングとのいずれか一方に可撓性ランスを、他方にこの可撓性ランスが係止される係止部を設け、前記端子の前記端子収容室への挿入過程で前記可撓性ランスが前記係止部に弾性変形によって係止されることによって前記端子が前記端子収容室内で係止され、このような構成のコネクタハウジングが多段状に連結される圧接ジョイントコネクタであって、前記コネクタハウジングの上面側と下面側とのいずれか一方に前記端子収容室に貫通する貫通孔を設け、他方に相手側のコネクタハウジングの前記貫通孔に挿入し、前記端子を反挿入方向に押圧するガタ詰め部を設けたので、端子がガタ詰め部に押圧されることによって可撓性ランスと係止部とが圧接され、可撓性ランスと係止部との間の相対的移動が規制されるため、端子のガタ付きが防止でき、これに起因する種々の問題が解消できる。
【００３４】
請求項２の発明によれば、請求項１記載の圧接ジョイントコネクタであって、前記ガタ詰め部と前記端子との互いに接触する面は、ほぼ同一傾斜のテーパ面として設けられたので、請求項１の発明の効果に加え、ガタ詰め部が端子を押圧する際に、互いのテーパ面を介して連続的に徐々に押圧力が付与されるため、端子をスムーズに移動できる。
【００３５】
請求項３の発明によれば、請求項１又は請求項２記載の圧接ジョイントコネクタであって、前記端子は、一方の連結面側に突出するタブ部と当該連結面とは反対の連結面側から挿入するタブ部が接触されるタブ接触部とを有し、双方のコネクタハウジングの連結位置では上下で相対向する端子同士の前記タブ部と前記タブ接触部とが接触されるので、請求項１又は請求項２の発明の効果に加え、端子がコネクタハウジングに対してガタ付かないことからタブ部及びタブ接触部も移動しないため、タブ部のバネ性が劣化したり、タブ部とタブ接触部との接触不良が生じたりするのを防止できる。
【００３６】
請求項４の発明によれば、請求項１〜請求項３記載の圧接ジョイントコネクタであって、前記端子に前記可撓性ランスを、前記コネクタハウジングに前記係止部をそれぞれ設けたので、請求項１〜請求項３の発明と同様の効果を有する。
【００３７】
請求項５の発明によれば、請求項１〜請求項４記載の圧接ジョイントコネクタであって、前記コネクタハウジングの下面側に貫通孔を、前記コネクタハウジングの上面側にガタ詰め部をそれぞれ設けたので、請求項１〜請求項４の発明と同様の効果を有する。
【図面の簡単な説明】
【図１】本発明の一実施形態を示し、コネクタハウジングの断面図である。
【図２】本発明の一実施形態を示し、端子の斜視図である。
【図３】本発明の一実施形態を示し、図２のＡ−Ａ線断面図である。
【図４】本発明の一実施形態を示し、端子を収容したコネクタハウジングの断面図である。
【図５】本発明の一実施形態を示し、双方のコネクタハウジングの連結した状態の断面図である。
【図６】本発明の一実施形態を示し、図５のＢ−Ｂ線断面図である。
【図７】本発明の一実施形態を示し、ガタ詰め部が端子を押圧する状態を示す概略図である。
【図８】従来のコネクタの断面図である。
【図９】従来のコネクタの要部拡大斜視図である。
【符号の説明】
１  コネクタハウジング
１ａ、１ｂ  連結面
５  端子収容室
６  端子
６ｂ  可撓性ランス
６ｃ  タブ部
６ｄ  タブ接触部
６ｆ  テーパ面
７  係止部
１０  ガタ詰め部
１０ａ  テーパ面
【図１】
0003681592.tif 000002
【図２】
0003681592.tif 000003
【図３】
0003681592.tif 000004
【図４】
0003681592.tif 000005
【図５】
0003681592.tif 000006
【図６】
0003681592.tif 000007
【図７】
0003681592.tif 000008
【図８】
0003681592.tif 000009
【図９】
0003681592.tif 000010